(57)【要約】      （修正有）【課題】外観を高めるともに小物類の床面への落下を防止し、かつ安全性を向上しうる折り畳みベッドを提供する。【解決手段】支脚部５を有する第１の載置枠３Ａに第１のマット半体４Ａを載置した第１のベッド半体２Ａと、支脚部を有する第２の載置枠３Ｂに第２のマット半体４Ｂを載置した第２のベッド半体２Ｂとを具え、前記第１、第２の載置枠は、その向き合う一端部が、該第１、第２の載置枠が水平に展開される展開状態と、逆Ｖ字状の垂直状態との間で折り畳み展開可能に連結され、前記第１、第２のベッド半体は、その向き合う一端部間を、前記折り畳み展開動作に追従して変形する継ぎ材６により塞いだことを特徴とする折り畳みベッド。【選択図】図１
0003104704.tif 000002
【実用新案登録請求の範囲】
【請求項１】
支脚部を有する第１の載置枠に第１のマット半体を載置した第１のベッド半体と、支脚部を有する第２の載置枠に第２のマット半体を載置した第２のベッド半体とを具え、
前記第１、第２の載置枠は、その向き合う一端部が、該第１、第２の載置枠が水平に展開される展開状態と、逆Ｖ字状の垂直状態との間で折り畳み展開可能に連結され、
前記第１、第２のベッド半体は、その向き合う一端部間を、前記折り畳み展開動作に追従して変形する継ぎ材により塞いだことを特徴とする折り畳みベッド。
【請求項２】
前記継ぎ材はシート状をなすことを特徴とする請求項１記載の折り畳みベッド。
【請求項３】
前記第１、第２のマット半体は、マット基体と、該マット基体を被覆するマットカバーとを有し、
前記継ぎ材は、前記第１、第２のマット半体のマットカバーの向き合う一端部間に架け渡されることにより前記第１、第２のベッド半体の向き合う一端部間を塞ぐことを特徴とする請求項１又は２記載の折り畳みベッド。
【請求項４】
前記継ぎ材は、前記第１、第２の載置枠の向き合う一端部間に架け渡されることにより前記第１、第２のベッド半体の向き合う一端部間を塞ぐことを特徴とする請求項１又は２記載の折り畳みベッド。
【請求項５】
前記継ぎ材は、その一方の端部分が前記第１、又は第２のベッド半体のいずれか一方に固着され、かつ他方の端部分は、他方のベッド半体に着脱可能に取付けられることを特徴とする請求項１〜４のいずれかに記載の折り畳みベッド。
【請求項６】
前記継ぎ材は、前記一方の端部分が、前記他方のマット半体のマットカバー、又は載置枠の、前記展開状態における下端に固着されるとともに、他方の端部分が、面ファスナーを用いて、かつ前記他方のマット半体のマットカバー、又は載置枠の下端に、着脱自在に取付けられたことを特徴とする請求項５記載の折り畳みベッド。
【考案の詳細な説明】
【技術分野】
【０００１】
本考案は、第１、第２のベッド半体の向き合う一端部間を変形可能な継ぎ材により塞ぐことを基本とし、外観に優れ、かつ小物類の床への落下を防止しうる折り畳みベッドに関する。
【背景技術】
【０００２】
例えば図８に示すように、水平な展開状態と逆Ｖ字状の垂直状態との間で折畳みすることにより、コンパクトに収納しうる折畳みベッドが知られている。このような折畳みベッドａは、布団等を載せうる第１、第２のマット半体ｂ１、ｂ２をそれぞれ有する第１、第２のベッド半体ｄ１、ｄ２の向き合う一端部を、巾方向両側に配された枢支部ｅ、ｅにより折畳み可能に連結している（例えば、特許文献１参照）。
【０００３】
【特許文献１】特開２００４−４９６４０号公報
【考案の開示】
【考案が解決しようとする課題】
【０００４】
しかしながら前記折り畳みベッドは、独立して構成された第１、第２のベッド半体ｄ１、ｄ２を、枢支部ｅを介して連結していることから、逆Ｖ字状に折り畳んだ時、図８に示すように、第１、第２のベッド半体ｄ１、ｄ２の間に隙間ｇを生じ、この隙間ｇを通して各ベッド半体ｄの裏面などが見える。前記隙間ｇは折り畳み状態において最上部に位置することから目につきやすく、その結果見栄えを損ねるという問題があった。
【０００５】
また、展開状態でベッドとして使用中に、使用者が気付かずにベッド上に落とした指輪、腕時計などの小物類は、前記第１、第２のベッド半体ｄ１、ｄ２の間から床面に落下する場合もあり、ベッドの下に隠れるため見付け難く、しかも家具の後に隠れ、掃除機で吸引するなどして紛失し、或いは床面上の小物類を足で踏みつけたり、ベッドの下敷きとなって、破損することもあった。さらに前記枢支部ｅ自体は、指詰め防止用の安全カバーｆで覆われているが、第１、第２のベッド半体ｄ１、ｄ２の間に隙間ｇにおいても安全性向上が望まれる。
【０００６】
本考案は、第１、第２のベッド半体の向き合う一端部間を、前記折り畳み展開動作に追従して変形する継ぎ材により塞ぐことを基本とし、外観を高めるともに小物類の床面への落下を防止し、かつ安全性を向上しうる折り畳みベッドの提供を課題としている。
【課題を解決するための手段】
【０００７】
前記目的を達成するために、請求項１に係る考案は、支脚部を有する第１の載置枠に第１のマット半体を載置した第１のベッド半体と、支脚部を有する第２の載置枠に第２のマット半体を載置した第２のベッド半体とを具え、前記第１、第２の載置枠は、その向き合う一端部が、該第１、第２の載置枠が水平に展開される展開状態と、逆Ｖ字状の垂直状態との間で折り畳み展開可能に連結され、前記第１、第２のベッド半体は、その向き合う一端部間を、前記折り畳み展開動作に追従して変形する継ぎ材により塞いだことを特徴とする。
【０００８】
また請求項２では、前記継ぎ材はシート状をなし、請求項３に係る考案は、前記第１、第２のマット半体は、マット基体と、該マット基体を被覆するマットカバーとを有し、前記継ぎ材は、前記第１、第２のマット半体のマットカバーの向き合う一端部間に架け渡されることにより前記第１、第２のベッド半体の向き合う一端部間を塞ぎ、また請求項４に係る考案は、前記継ぎ材は、前記第１、第２の載置枠の向き合う一端部間に架け渡されることにより前記第１、第２のベッド半体の向き合う一端部間を塞ぐことを特徴とする。
【０００９】
また請求項５に係る考案は、前記継ぎ材は、その一方の端部分が前記第１、又は第２のベッド半体のいずれか一方に固着され、かつ他方の端部分は、他方のベッド半体に着脱可能に取付けられ、また請求項６に係る考案は、前記継ぎ材は、前記一方の端部分が、前記他方のマット半体のマットカバー、又は載置枠の、前記展開状態における下端に固着されるとともに、他方の端部分が、面ファスナーを用いて、かつ前記他方のマット半体のマットカバー、又は載置枠の下端に、着脱自在に取付けられたことを特徴とする。
【考案の効果】
【００１０】
請求項１に係る考案では、第１、第２のベッド半体は、その向き合う一端部間を、前記折り畳み展開動作に追従して変形する継ぎ材により塞いだため、折畳み時、第１、第２のベッド半体の隙間から第１、第２のベッド半体の裏面側が見えることがなく、その結果見栄えを高めることができる。
【００１１】
またベッドの使用者が気付かずにベッド上に落とした指輪、腕時計などの小物類は、第１、第２のベッド半体の間に入ったとしても継ぎ材で受け止められるため、容易に見付けることができる。しかも小物類は床面に落下することがないため、誤って踏み付けたり、ベッドの下敷きになることによる傷付き、破損がなく、床面上に落下した小物類が、家具の下、裏などに隠れたり、或いは誤って掃除機で吸引して、紛失することもない。また前記継ぎ材が安全カバーとなり、第１、第２のベッド半体間へ手の挿入を阻止するため、指詰めなどを防止し安全性が高まる。
【００１２】
また請求項２では、継ぎ材はシート状をなすため、折畳み展開動作に柔軟に追従変形でき、請求項３に係る考案の構成とすることにより、載置枠とマット半体との間に前記小物類が挟まって見失うことを防止できる。また請求項４に係る考案においては、マット半体の取外時にも、第１、第２のベッド半体間を塞ぐことができる。
【００１３】
また請求項５に係る考案においては、継ぎ材の取り外しによりマットカバーの取替等が容易に行え、また請求項６に係る考案の構成とすることにより、折畳み展開を繰返しても面ファスナーで取付けられた継ぎ材は外れることがなく、しかも継ぎ材の着脱操作を容易とする。
【考案を実施するための最良の形態】
【００１４】
以下、本考案の実施の一形態を、図示例とともに説明する。図１に示すように、折り畳みベッド１は、第１のベッド半体２Ａと、第２のベッド半体２Ｂと、前記第１、第２のベッド半体２Ａ、２Ｂの向き合う一端部間を塞いだ継ぎ材６とを有する（なお第１、第２のベッド半体２Ａ、２Ｂの向き合う側をともに内側という。また各部材において、第１、第２と区別するときにはＡ、Ｂを数字末尾に付し、区別する必要のないときは、「第１、第２」の語を、符号Ａ、Ｂとともにを省略する）。
【００１５】
前記第１のベッド半体２Ａは、支脚部５Ａを有する第１の載置枠３Ａと、この第１の載置枠３Ａに載置された第１のマット半体４Ａとを具え、さらに本形態では、第１のベッド半体２Ａの外端に、化粧仕上げされかつ垂直に立ち上がる宮板２４が取り付けられたものを例示している。特に限定されないが、好適な使用例として、この第１のベッド半体２Ａ側に使用者の上半身を載置させる。
【００１６】
前記第１の載置枠３Ａは、断面矩形の管材を例えば平面視略コ字状ないし矩形状（本例ではコ字状）に折り曲げた周囲枠２１に補強材（図示せず）を架け渡し、かつ前記周囲枠２１の内側にネット材２２を張設して形成する。なお前記周囲枠２１の側枠部２１ａは、内側に突出した連結部２１ｂを有する。
【００１７】
前記支脚部５Ａは、本形態では、逆Ｔ字状をなす脚フレーム２３ａと、その下部に取り付けられたキャスター車輪２３ｂとを有する。この脚フレーム２３ａは、前記第１の載置枠３Ａの側枠部２１ａにピンにて回動可能に取り付けられ、第１の載置枠３Ａの巾方向両側に一対配置され、しかも巾方向にのびる連結杆２５によって連結されている。
【００１８】
前記第１のマット半体４Ａは、平面視前記第１の載置枠３Ａに略同大の矩形状をなし、かつ例えば５０〜３００ｍｍ程度に一定厚さで形成され、前記の如く第１の載置枠３Ａ上に載置される。また本形態の第１のマット半体４Ａは、マット基体７と、マットカバー８とを有する。前記マット基体７は、単層又は積層構造をなし、かつクッション性を有し、ウレンタンフォーム、ゴムスポンジ、ポリエチレンフォーム、ポリエステル綿クッションなどを用いて形成される。また前記マットカバー８は、マット基体７の少なくとも表面及び側周面を覆い、本形態では、マット基体７の全周を覆う袋状をなす。なおマットカバー８は、ファスナーを具え、かつ前記マット基体７に装着するための開口部（図示せず）を有し、綿、麻などの植物繊維、レーヨン、ポリエステル、ビニロンなどの化学繊維を用いた布地で縫製される。
【００１９】
前記第２のベッド半体２Ｂは、支脚部５Ｂを有する第２の載置枠３Ｂと、この第２の載置枠３Ｂに載置された第２のマット半体４Ｂとを具え、さらに本形態では、第２のベッド半体２Ｂの外端に、水平な棚板３９が取り付けられたものを例示している。
【００２０】
本形態の第２の載置枠３Ｂは、第１の載置枠３Ａと同様、平面視略コ字状の周囲枠２１に補強材とネット材２２とを取付けて構成され、側枠部２１ａの内端には連結部２１ｂが形成される。第２の載置枠３Ｂの双方の側枠部２１ａには、略門形をなす手摺部２６と、該手摺部２６の外端から外側へ斜め下方にのびる傾斜脚フレーム部２７ａとが一体に形成されたサイドフレーム２８が、一対の水平な支持杆２９を介して取付けられている。また前記傾斜脚フレーム部２７ａの先端に車輪２７ｂを設け、本形態の支脚部５Ｂは、傾斜脚フレーム部２７ａと、車輪２７ｂとで形成される。
【００２１】
図５に示すように、前記第２の載置枠３Ｂの内端の連結部２１ｂと、これに向き合う第１の載置枠３Ａの連結部２１ｂとは、ベッド巾方向に平行に隔設された側板３０ａ、３０ａを底板３０ｂにより結合した枢結金具３０に枢支される。これにより、前記第１、第２の載置枠３Ａ、３Ｂは、向合って配された内端部が折曲がり可能に連結され、水平に展開される展開状態と、逆Ｖ字状の垂直状態との間で折り畳み展開を可能としている。なお前記枢結金具３０は、ベッド両側に配され、その間が連結軸３１で連結され、この連結軸３１には、第１、第２の載置枠３Ａ、３Ｂを内側で支持する中間支脚部３２が設けられる。また前記枢結金具３０は、上方が指詰め防止カバー３３により覆われるとともに、前記第１、第２の載置枠３Ａ、３Ｂの折り畳み展開動作を操作する際に用いる持ち手３４が取付けられる。
【００２２】
前記第２のマット半体４Ｂは、第１のマット半体４Ａと同様に、マット基体７とマットカバー８とを有し、前記の如く第２の載置枠３Ｂ上に載置される。また第２のマット半体４Ｂの内端面は、図１に示される第１、第２の載置枠３Ａ、３Ｂの展開状態においては、第１のマット半体４Ａの内端面に向合って配され、他方図２、３に示される逆Ｖ字状の折畳み状態においては、第１、第２のマット半体４Ａ、４Ｂの内端面は、共に上方を向き、かつ第１、第２の載置枠３Ａ、３Ｂを挟んで形成された隙間Ｇを隔てて配置される。このように折畳み展開動作により、第１、第２のベッド半体２Ａ、２Ｂの内端部は、相互の位置関係を変化させる。
【００２３】
前記継ぎ材６は、ベッドの略全巾に亘って前記第１、第２のベッド半体２Ａ、２Ｂの向き合う内端部間に架け渡され、しかもこの継ぎ材６は変形性を具えている。そのため折畳み展開動作によって、前記の如く、間隔など相互の位置関係が変化する第１、第２のマット半体４Ａ、４Ｂの内端部間は、前記変化に追従しうる継ぎ材６によって常に塞がれる。
【００２４】
本形態の継ぎ材６は、図２に示すように、シート状の帯状体で形成され、指詰め防止カバー３３、３３間に配される。そしてこの帯状体は、植物繊維、化学繊維を用いた布地、ポリエチレン、ＥＶＡ樹脂、ポリ塩化ビニル等の樹脂シートなどを用いる。このように、継ぎ材６をシート状に形成すると、折畳み展開動作に対応した変形追従性が高い点で好ましい。
【００２５】
前記継ぎ材６は、本形態では、図４（Ａ）に示すように、一方の端部分６ａが第１のマット半体４Ａのマットカバー８の内端部、より詳細には展開状態においてマットカバー８の下面の内端縁部に逢着される。そして継ぎ材６の他方の端部分６ｂには面ファスナー９の雄体９ａが固着されるとともに、第２のマット半体４Ｂのマットカバー８の内端部、より詳細には展開状態においてマットカバー８の下面の内端縁部に前記雄体９ａと着脱自在な雌体９ｂが固着され、その結果継ぎ材６の他方の端部分６ｂは、面ファスナー９により第２のマット半体４Ｂのマットカバー８に着脱自在に取付けられる。なお図３は、継ぎ材６の他方の端部分６ｂを第２のマット半体４Ｂから取外した状態を示す。
【００２６】
本形態は前記の如く、継ぎ材６を、第１、第２のマット半体４Ａ、４Ｂのマットカバー８、８の内端部間に架け渡したため、継ぎ材６上で受け止められた小物類を容易に見つけることができ、載置枠とマット半体との間に挟まるなど小物類が奥へ入り込むことがない。また、継ぎ材６は、第１のマット半体４Ａに固着され、かつ第２のマット半体４Ｂに対して着脱可能に形成されたため、マットカバー８の取替など、第１、第２のベッド半体２Ａ、２Ｂの一部を取外し、分解する作業を容易に行える。しかも面ファスナー９を用いて継ぎ材６を着脱自在としたため、継ぎ材６の着脱作業を容易とし、かつ継ぎ材６の固着力が確実となる。なお、継ぎ材６を、第２のマット半体４Ｂのマットカバー８に固着し、第１のマット半体４Ａのマットカバー８に対して着脱可能に取付けることもできる。
【００２７】
このように本考案の折り畳みベッド１では、第１、第２のベッド半体２Ａ、２Ｂの内端部間を変形性を有する継ぎ材６により塞いだため、図４（Ａ）に示される展開状態、図４（Ｂ）に示される折畳み状態の間で、互いの位置関係を変化させる第１、第２のベッド半体２Ａ、２Ｂの内端部間の間隙を継ぎ材６が追従変形して覆うことにより、ベッドの裏面側が見えない。その結果、外観を損なうことがなく、特に図２に示すように、折畳み状態で最上位に位置する第１、第２のマット半体４Ａ、４Ｂ間の間隙を継ぎ材６で塞ぐことにより見栄えを高めうる。またベッドの使用者が気付かずに落とした指輪、腕時計などの小物類は、継ぎ材で受け止められるため、容易に見つけることができるとともに第１、第２のベッド半体２Ａ、２Ｂ間からベッド下に落下することがなく、踏み付け、ベッドの下敷きによる破損を防止でき、床面上で家具に陰に隠れたり、掃除機で吸引して紛失することもない。しかも第１、第２のベッド半体２Ａ、２Ｂ間が継ぎ材６でカバーされるため、指詰めの危険を予防できる。
【００２８】
図６、７は他の実施形態を例示し、本形態の継ぎ材６は、第１、第２の載置枠３Ａ、３Ｂの向き合う内端部間に架け渡される。本形態の載置枠３は、ベッド巾方向にのび、かつ内外方向に隔設された複数の帯板３５ａを有し、かつマット半体４を載置する載置台３５と、この載置台３５を覆うカバー３６と、周囲に配された化粧枠３７とを具える。
【００２９】
前記継ぎ材６は、図７に示すように、その一方の端部６ｍが、第２の載置枠３Ｂの内端部において、前記カバー３６に逢着されることにより固着される。そして他方の端部６ｎは、該端部６ｎに逢着されたジッパーテープ３８ａと、第１の載置枠３Ａの内端において、カバー３６に逢着されたジッパーテープ３８ｂとからなるファスナー３８を用いて、第１の載置枠３Ａの内端に着脱可能に取付けられる。なお、前記他方の端部６ｎは、面ファスナー９を用いて第１の載置枠３Ａに取付けることもできる。
【００３０】
このように、本形態では、第１、第２の載置枠３Ａ、３Ｂの向き合う内端部間が継ぎ材６で塞がれるため、マット半体４を取外した際にも、第１、第２のベッド半体２Ａ、２Ｂ間を閉じて見栄えを高めるとともに指詰めを防止しうる。
【図面の簡単な説明】
【００３１】
【図１】本考案の一実施の形態を例示する分解斜視図である。
【図２】その垂直状態の斜視図である。
【図３】その要部拡大斜視図である。
【図４】（Ａ）は展開状態を示す要部断面図、（Ｂ）は垂直状態を示す要部断面図である。
【図５】第１、第２の載置枠の連結部を示す分解斜視図である。
【図６】他の実施形態を例示する分解斜視図である。
【図７】その要部拡大斜視図である。
【図８】従来例の斜視図である。
【符号の説明】
【００３２】
１      折り畳みベッド
２Ａ    第１のベッド半体
２Ｂ    第２のベッド半体
３Ａ    第１の載置枠
３Ｂ    第２の載置枠
４Ａ    第１のマット半体
４Ｂ    第２のマット半体
５      支脚部
６      継ぎ材
７      マット基体
８      マットカバー
９      面ファスナー
【図１】
0003104704.tif 000003
【図２】
0003104704.tif 000004
【図３】
0003104704.tif 000005
【図４】
0003104704.tif 000006
【図５】
0003104704.tif 000007
【図６】
0003104704.tif 000008
【図７】
0003104704.tif 000009
【図８】
0003104704.tif 000010